【誤訳訂正書】
【提出日】平成24年5月28日(2012.5.28)
【誤訳訂正１】
【訂正対象書類名】特許請求の範囲
【訂正対象項目名】全文
【訂正方法】変更
【訂正の内容】
【特許請求の範囲】
【請求項１】
少なくとも１つの基本サービスセット（ＢＳＳ）を有する無線ランにおけるスキャン手順であって、前記スキャン手順は、
第１のステーションから、第２のステーションにより、プローブ要請フレームを受信することであって、前記プローブ要請フレームは、前記第１のステーションの所望のＳＳＩＤ（Ｓｅｒｖｉｃｅ  Ｓｅｔ  Ｉｄｅｎｔｉｆｉｅｒ）を含むＳＳＩＤ情報要素と、前記第１のステーションの所望のＢＳＳＩＤ（Ｂａｓｉｃ  ＳＳＩＤ）を含むＢＳＳＩＤフィールドと、前記第１のステーションの所望のＭＡＣ（Ｍｅｄｉｕｍ  Ａｃｃｅｓｓ  Ｃｏｎｔｒｏｌ）住所を含む目的地住所（ＤＡ）フィールドと、インターワーキングに関連した情報を含む力量情報要素と、前記第１のステーションの所望のＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）を含むＨＥＳＳＩＤフィールドと、前記第１のステーションの所望のネットワークタイプを含むネットワークタイプフィールドとを含み、前記ＨＥＳＳＩＤは、ＢＳＳの集合を識別するために使用され、前記ＢＳＳの集合において、前記ＢＳＳのうちの１つにおいて連絡可能な少なくとも１つのネットワークは前記ＢＳＳの全てにおいて連絡可能であり、前記力量情報要素は、ＱｏＳ（Ｑｕａｌｉｔｙ  ｏｆ  Ｓｅｒｖｉｃｅ）Ｍａｐサービス力量を示すＱｏＳ  Ｍａｐビットと、ＥＢＲ（Ｅｘｐｅｄｉｔｅｄ  Ｂａｎｄｗｉｄｔｈ  Ｒｅｑｕｅｓｔ）力量を示し、かつ、前記ＱｏＳ  Ｍａｐビットの直後に続くＥＢＲビットとを含み、前記第１のステーションは、ｎｏｎ−アクセスポイント（ＡＰ）ステーションであり、前記第２のステーションは、ＡＰステーションである、ことと、
前記プローブ要請フレーム内のＳＳＩＤ情報要素の所望のＳＳＩＤが前記第２のステーションのＳＳＩＤである場合、前記プローブ要請フレーム内の所望のＢＳＳＩＤフィールドが前記第２のステーションのＢＳＳＩＤに設定される場合、前記プローブ要請フレーム内の所望のＤＡフィールドが前記第２のステーションのＭＡＣ住所に設定される場合、前記プローブ要請フレーム内の所望のＨＥＳＳＩＤフィールドが前記第２のステーションのＨＥＳＳＩＤに設定される場合、及び前記プローブ要請フレーム内の所望のネットワークタイプフィールドが前記第２のステーションのネットワークタイプに設定される場合、前記第２のステーションにより、前記プローブ要請フレームに対する応答として前記第１のステーションにプローブ応答フレームを伝送することと
を含む、スキャン手順。
【請求項２】
前記ネットワークタイプフィールドは、インターネットへの接続性を特定するインターネット接続サブフィールドを含む、請求項１に記載のスキャン手順。
【請求項３】
無線ランにおけるスキャン手順を支援するアクセスポイント（ＡＰ）であって、
前記ＡＰは、
フレームを生成して処理するように構成されたプロセッサと、
前記プロセッサと動作可能に連結され、前記プロセッサのフレームを伝送及び受信するように構成された送受信機と
を含み、
前記送受信機は、
ｎｏｎ−ＡＰステーションから、プローブ要請フレームを受信することであって、前記プローブ要請フレームは、前記ｎｏｎ−ＡＰステーションの所望のＳＳＩＤ（Ｓｅｒｖｉｃｅ  Ｓｅｔ  Ｉｄｅｎｔｉｆｉｅｒ）を含むＳＳＩＤ情報要素と、前記ｎｏｎ−ＡＰステーションの所望のＢＳＳＩＤ（Ｂａｓｉｃ  ＳＳＩＤ）を含むＢＳＳＩＤフィールドと、前記ｎｏｎ−ＡＰステーションの所望のＭＡＣ（Ｍｅｄｉｕｍ  Ａｃｃｅｓｓ  Ｃｏｎｔｒｏｌ）住所を含む目的地住所（ＤＡ）フィールドと、インターワーキングに関連した情報を含む力量情報要素と、前記ｎｏｎ−ＡＰステーションの所望のＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）を含むＨＥＳＳＩＤフィールドと、前記ｎｏｎ−ＡＰステーションの所望のネットワークタイプを含むネットワークタイプフィールドとを含み、前記ＨＥＳＳＩＤは、ＢＳＳの集合を識別するために使用され、前記ＢＳＳの集合において、前記ＢＳＳのうちの１つにおいて連絡可能な少なくとも１つのネットワークは前記ＢＳＳの全てにおいて連絡可能であり、前記力量情報要素は、ＱｏＳ（Ｑｕａｌｉｔｙ  ｏｆ  Ｓｅｒｖｉｃｅ）Ｍａｐサービス力量を示すＱｏＳ  Ｍａｐビットと、ＥＢＲ（Ｅｘｐｅｄｉｔｅｄ  Ｂａｎｄｗｉｄｔｈ  Ｒｅｑｕｅｓｔ）力量を示し、かつ、前記ＱｏＳ  Ｍａｐビットの直後に続くＥＢＲビットとを含む、ことと、
前記プローブ要請フレーム内のＳＳＩＤ情報要素の所望のＳＳＩＤが前記ＡＰのＳＳＩＤである場合、前記プローブ要請フレーム内の所望のＢＳＳＩＤフィールドが前記ＡＰのＢＳＳＩＤに設定される場合、前記プローブ要請フレーム内の所望のＤＡフィールドが前記ＡＰのＭＡＣ住所に設定される場合、前記プローブ要請フレーム内の所望のＨＥＳＳＩＤフィールドが前記ＡＰのＨＥＳＳＩＤに設定される場合、及び前記プローブ要請フレーム内の所望のネットワークタイプフィールドが前記ＡＰのネットワークタイプに設定される場合、前記プローブ要請フレームに対する応答として前記ｎｏｎ−ＡＰステーションにプローブ応答フレームを伝送することと
を実行するように構成される、アクセスポイント。
【請求項４】
無線ランにおけるスキャン手順を支援するｎｏｎ−アクセスポイント（ＡＰ）ステーションであって、前記ｎｏｎ−ＡＰステーションは、
フレームを生成して処理するように構成されたプロセッサと、
前記プロセッサと動作可能に連結され、前記プロセッサのフレームを伝送及び受信するように構成された送受信機と
を含み、
前記プロセッサは、
ＡＰに、プローブ要請フレームを伝送することであって、前記プローブ要請フレームは、前記ｎｏｎ−ＡＰステーションの所望のＳＳＩＤ（Ｓｅｒｖｉｃｅ  Ｓｅｔ  Ｉｄｅｎｔｉｆｉｅｒ）を含むＳＳＩＤ情報要素と、前記ｎｏｎ−ＡＰステーションの所望のＢＳＳＩＤ（Ｂａｓｉｃ  ＳＳＩＤ）を含むＢＳＳＩＤフィールドと、前記ｎｏｎ−ＡＰステーションの所望のＭＡＣ（Ｍｅｄｉｕｍ  Ａｃｃｅｓｓ  Ｃｏｎｔｒｏｌ）住所を含む目的地住所（ＤＡ）フィールドと、インターワーキングに関連した情報を含む力量情報要素と、前記ｎｏｎ−ＡＰステーションの所望のＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）を含むＨＥＳＳＩＤフィールドと、前記ｎｏｎ−ＡＰステーションの所望のネットワークタイプを含むネットワークタイプフィールドとを含み、前記ＨＥＳＳＩＤは、ＢＳＳの集合を識別するために使用され、前記ＢＳＳの集合において、前記ＢＳＳのうちの１つにおいて連絡可能な少なくとも１つのネットワークは前記ＢＳＳの全てにおいて連絡可能であり、前記力量情報要素は、ＱｏＳ（Ｑｕａｌｉｔｙ  ｏｆ  Ｓｅｒｖｉｃｅ）Ｍａｐサービス力量を示すＱｏＳ  Ｍａｐビットと、ＥＢＲ（Ｅｘｐｅｄｉｔｅｄ  Ｂａｎｄｗｉｄｔｈ  Ｒｅｑｕｅｓｔ）力量を示し、かつ、前記ＱｏＳ  Ｍａｐビットの直後に続くＥＢＲビットとを含む、ことと、
前記プローブ要請フレーム内のＳＳＩＤ情報要素の所望のＳＳＩＤが前記ＡＰのＳＳＩＤである場合、前記プローブ要請フレーム内の所望のＢＳＳＩＤフィールドが前記ＡＰのＢＳＳＩＤに設定される場合、前記プローブ要請フレーム内の所望のＤＡフィールドが前記ＡＰのＭＡＣ住所に設定される場合、前記プローブ要請フレーム内の所望のＨＥＳＳＩＤフィールドが前記ＡＰのＨＥＳＳＩＤに設定される場合、及び前記プローブ要請フレーム内の所望のネットワークタイプフィールドが前記ＡＰのネットワークタイプに設定される場合、前記プローブ要請フレームに対する応答として前記ＡＰからプローブ応答フレームを受信することと
を実行するように構成される、ｎｏｎ−ＡＰステーション。
【誤訳訂正２】
【訂正対象書類名】明細書
【訂正対象項目名】００１９
【訂正方法】変更
【訂正の内容】
【００１９】
本発明の他の態様によると、無線ランにおけるスキャン手順を支援するステーションが提供される。前記ステーションは、フレームを生成して処理するプロセッサ、及び前記プロセッサと連結され、前記プロセッサのフレームを伝送して受信する送受信機を含む。前記プロセッサは、所望のＨＥＳＳＩＤ（ｈｏｍｏｇｅｎｅｏｕｓ  ｅｘｔｅｎｄｅｄ  ｓｅｒｖｉｃｅ  ｓｅｔ  ｉｄｅｎｔｉｆｉｅｒ）を有するＨＥＳＳＩＤフィールドと、所望のネットワークタイプを有するネットワークタイプフィールドと、を含むプローブ要請フレームを生成し、前記プローブ要請フレームを前記送受信機にフォーワーディング（ｆｏｒｗａｒｄ）し、前記プロセッサは、前記プローブ要請フレームを伝送し、前記プローブ要請フレームに対する応答としてプローブ応答フレームを受信する。
本発明は、たとえば、以下の項目も提供する。
（項目１）
無線ランにおけるスキャン手順において、
第１のステーションから、前記第１のステーションの所望のＨＥＳＳＩＤ（ｈｏｍｏｇｅｎｅｏｕｓ  ｅｘｔｅｎｄｅｄ  ｓｅｒｖｉｃｅ  ｓｅｔ  ｉｄｅｎｔｉｆｉｅｒ）を有するＨＥＳＳＩＤフィールドと、前記第１のステーションの所望のネットワークタイプを有するネットワークタイプフィールドと、を含むプローブ要請フレームを受信し、
前記プローブ要請フレーム内の前記ＨＥＳＳＩＤフィールドは、ワイルドカード（ｗｉｌｄｃａｒｄ）ＨＥＳＳＩＤまたは前記プローブ要請フレームを受信した第２のステーションのＨＥＳＳＩＤに設定され、前記プローブ要請フレーム内の前記ネットワークタイプフィールドは、ワイルドカードネットワークタイプまたは前記第２のステーションのネットワークタイプに設定されると、前記プローブ要請フレームに対する応答として前記第１のステーションにプローブ応答フレームを伝送することを含むスキャン手順。
（項目２）
前記ネットワークタイプフィールドは、インターネットへの接続性（ｃｏｎｎｅｃｔｉｖｉｔｙ）を表すインターネット接続（ｉｎｔｅｒｎｅｔ  ａｃｃｅｓｓ）サブフィールドを含む項目１に記載のスキャン手順。
（項目３）
前記ＨＥＳＳＩＤフィールドと前記ネットワークタイプフィールドとは、インターワーキング情報要素（ｉｎｆｏｒｍａｔｉｏｎ  ｅｌｅｍｅｎｔ）に含まれ、前記インターワーキング情報要素は、前記第１のステーションが知らせるインターワーキング力量を含むインターワーキング力量フィールドをさらに含む項目１に記載のスキャン手順。
（項目４）
前記インターワーキング力量フィールドは、‘１’に設定されたＨＥＳＳＩＤ現在ビットを含む項目３に記載のスキャン手順。
（項目５）
前記プローブ要請フレームは、前記第１のステーションの所望のＳＳＩＤ（ｓｅｒｖｉｃｅ  ｓｅｔ  ｉｄｅｎｔｉｆｉｅｒ）を有するＳＳＩＤ情報要素をさらに含み、
前記ＳＳＩＤ情報要素内の前記所望のＳＳＩＤが、ワイルドカードＳＳＩＤ、または前記第２のステーションのＳＳＩＤである場合、前記プローブ応答フレームは、前記第２のステーションによって伝送される項目１に記載のスキャン手順。
（項目６）
前記プローブ要請フレームは、前記第１のステーションの所望のＢＳＳＩＤ（Ｂａｓｉｃ  ＳＳＩＤ）を有するＢＳＳＩＤ情報要素と、前記第１のステーションの所望のＭＡＣ（ｍｅｄｉｕｍ  ａｃｃｅｓｓ  ｃｏｎｔｒｏｌ）住所を有する目的地住所（ｄｅｓｔｉｎａｔｉｏｎ  ａｄｄｒｅｓｓ、ＤＡ）フィールドと、をさらに含み、
前記プローブ要請内のＢＳＳＩＤフィールドは、ワイルドカードＳＳＩＤまたは前記第２のステーションのＢＳＳＩＤに設定され、前記プローブ要請フレーム内の前記目的地住所フィールドは、ブロードキャスト住所または前記第２のステーションのＭＡＣ住所に設定されると、前記プローブ応答フレームが前記第２のステーションによって伝送される項目５に記載のスキャン手順。
（項目７）
前記第１のステーションは、インターワーキング可能なｎｏｎ−ＡＰ（ａｃｃｅｓｓ  ｐｏｉｎｔ）ステーションであり、前記第２のステーションは、インターワーキング可能なＡＰである項目６に記載のスキャン手順。
（項目８）
前記プローブ応答フレームは、前記第２のステーションのインターワーキングサービス力量に関する情報を含むインターワーキング情報要素を含み、
前記インターワーキング情報要素は、インターネット接続サブフィールドを有するネットワークタイプフィールドと、インターネット／イントラネットサブフィールドを有するネットワークメタデータフィールドと、を含み、
前記ネットワークタイプフィールド内の前記インターネット接続サブフィールドは、該当ＳＳＩＤ上のいずれかのＳＳＩＤがネットワークメタデータフィールド内のインターネット／イントラネットサブフィールドを‘１’にセッティングする場合‘１’にセッティングされ、該当ＢＳＳＩＤ上の全てのＳＳＩＤが前記ネットワークメタデータフィールド内の前記インターネット／イントラネットビットを‘０’にセッティングする場合‘０’にセッティングされる項目１に記載のスキャン手順。
（項目９）
無線ランにおけるスキャン手順において、
所望のＨＥＳＳＩＤ（ｈｏｍｏｇｅｎｅｏｕｓ  ｅｘｔｅｎｄｅｄ  ｓｅｒｖｉｃｅ  ｓｅｔ  ｉｄｅｎｔｉｆｉｅｒ）を有するＨＥＳＳＩＤフィールドと、所望のネットワークタイプを有するネットワークタイプフィールドと、を含むプローブ要請フレームを伝送し、
前記プローブ要請フレームに対する応答として第２のステーションからプローブ応答フレームを受信することを含み、
前記ＨＥＳＳＩＤフィールドに指示されている前記所望のＨＥＳＳＩＤは、ワイルドカード（ｗｉｌｄｃａｒｄ）ＨＥＳＳＩＤまたは前記第２のステーションのＨＥＳＳＩＤであり、前記ネットワークタイプフィールドに指示されている前記所望のネットワークタイプは、ワイルドカードネットワークタイプまたは前記第２のステーションのネットワークタイプであるスキャン手順。
（項目１０）
前記ネットワークタイプフィールドは、インターネットへの接続性を表すインターネット接続サブフィールドを含む項目９に記載のスキャン手順。
（項目１１）
前記プローブ要請フレームは、所望のＳＳＩＤ（ｓｅｒｖｉｃｅ  ｓｅｔ  ｉｄｅｎｔｉｆｉｅｒ）を有するＳＳＩＤ情報要素と、所望のＢＳＳＩＤ（Ｂａｓｉｃ  ＳＳＩＤ）を有するＢＳＳＩＤフィールドと、所望のＭＡＣ（ｍｅｄｉｕｍ  ａｃｃｅｓｓ  ｃｏｎｔｒｏｌ）住所を有する目的地住所（ｄｅｓｔｉｎａｔｉｏｎ  ａｄｄｒｅｓｓ）フィールドと、をさらに含み、
前記ＳＳＩＤ情報要素内の前記所望のＳＳＩＤは、ワイルドカードＳＳＩＤまたは前記第２のステーションのＳＳＩＤであり、前記ＢＳＳＩＤフィールド内の前記所望のＢＳＳＩＤは、ワイルドカードＳＳＩＤまたは前記第２のステーションのＢＳＳＩＤであり、及び前記目的地住所フィールド内の前記所望のＭＡＣ住所は、ブロードキャスト住所または前記第２のステーションのＭＡＣ住所である項目９に記載のスキャン手順。
（項目１２）
無線ランにおける能動スキャンに使われるプローブ要請フレームのためのフォーマットにおいて、
前記プローブ要請フレームは、前記プローブ要請フレームの目的地を表す目的地住所フィールドと、伝送ステーションの所望のＢＳＳＩＤを表すＢＳＳＩＤフィールドと、を含むＭＡＣヘッダ、及び
前記伝送ステーションの所望のＳＳＩＤを表すＳＳＩＤ情報要素と、前記伝送ステーションのインターワーキングサービスに関する所望の情報を表すインターワーキング情報要素と、を含むフレームボディを含むフォーマット。
（項目１３）
前記インターワーキング情報要素は、前記伝送ステーションの所望のＨＥＳＳＩＤを有するＨＥＳＳＩＤフィールドと、前記伝送ステーションの所望のネットワークタイプを有するネットワークタイプフィールドと、を含む項目１２に記載のフォーマット。
（項目１４）
前記インターワーキング情報要素は、前記伝送ステーションが知らせるインターワーキング力量を表すインターワーキング力量フィールドをさらに含む項目１３に記載のフォーマット。
（項目１５）
前記インターワーキング力量フィールドは、前記ＨＥＳＳＩＤフィールドの在否を表すＨＥＳＳＩＤ現在サブフィールドを含む項目１４に記載のフォーマット。
（項目１６）
前記ネットワークタイプフィールドは、前記伝送ステーションの所望のネットワークタイプ値を有するネットワークタイプコードサブフィールドと、前記伝送ステーションのインターネット接続性に対する所望の特性を有するインターネット接続サブフィールドと、を含む項目１３に記載のフォーマット。
（項目１７）
プローブ要請フレームを受信するステーションのためのスキャン手順において、
前記プローブ要請フレーム内のＳＳＩＤ要素は、ワイルドカードＳＳＩＤまたは前記ステーションのＳＳＩＤを表し、
前記プローブ要請フレーム内の前記ＢＳＳＩＤフィールドは、ワイルドカードＳＳＩＤまたは前記ステーションのＢＳＳＩＤを表し、
前記プローブ要請フレーム内の目的地住所フィールドは、ブロードキャスト住所または前記ステーションのＭＡＣ住所を表し、
前記プローブ要請フレーム内のＨＥＳＳＩＤフィールドは、ワイルドカードＨＥＳＳＩＤまたは前記ステーションのＨＥＳＳＩＤを表し、及び
前記プローブ要請フレーム内のネットワークタイプフィールドは、ワイルドカードネットワークタイプまたは前記ステーションのネットワークタイプを表せば、
前記ステーションがプローブ応答フレームとして応答することを含むスキャン手順。
（項目１８）
前記プローブ要請フレームは、前記ＨＥＳＳＩＤフィールドと前記ネットワークタイプフィールドとを含むインターワーキング情報要素を含み、前記ネットワークタイプフィールドは、インターネットへの接続性を表すインターネット接続サブフィールドを含む項目１７に記載のスキャン手順。
（項目１９）
前記ステーションは、インターワーキング可能なＡＰであり、前記プローブ要請フレームは、インターワーキング可能なｎｏｎ−ＡＰ（ａｃｃｅｓｓ  ｐｏｉｎｔ）ステーションによって伝送される項目１７に記載のスキャン手順。
（項目２０）
無線ランにおけるスキャン手順を支援するアクセスポイント（ＡＰ）において、
フレームを生成して処理するプロセッサ；及び、
前記プロセッサと連結され、前記プロセッサのフレームを伝送して受信する送受信機を含み、
前記送受信機は、第１のステーションから、ｎｏｎ−ＡＰステーションの所望のＨＥＳＳＩＤ（ｈｏｍｏｇｅｎｅｏｕｓ  ｅｘｔｅｎｄｅｄ  ｓｅｒｖｉｃｅ  ｓｅｔ  ｉｄｅｎｔｉｆｉｅｒ）を有するＨＥＳＳＩＤフィールドと、前記ｎｏｎ−ＡＰステーションの所望のネットワークタイプを有するネットワークタイプフィールドと、を含むプローブ要請フレームを受信し、前記プローブ要請フレームを前記プロセッサにフォーワーディング（ｆｏｒｗａｒｄ）し、
前記プロセッサは、前記プローブ要請フレーム内の前記ＨＥＳＳＩＤフィールドが、ワイルドカード（ｗｉｌｄｃａｒｄ）ＨＥＳＳＩＤまたは前記プローブ要請フレームを受信した前記アクセスポイントのＨＥＳＳＩＤに設定され、前記プローブ要請フレーム内の前記ネットワークタイプフィールドが、ワイルドカードネットワークタイプまたは前記アクセスポイントのネットワークタイプに設定されると、前記プローブ要請フレームに対する応答としてプローブ応答フレームを生成し、前記プローブ応答フレームを前記送受信機にフォーワーディングし、及び
前記送受信機は、前記プローブ応答フレームを前記ｎｏｎ−ＡＰステーションに伝送するアクセスポイント。
（項目２１）
前記プローブ要請フレームは、前記ｎｏｎ−ＡＰステーションの所望のＳＳＩＤ（ｓｅｒｖｉｃｅ  ｓｅｔ  ｉｄｅｎｔｉｆｉｅｒ）を有するＳＳＩＤ情報要素と、前記ｎｏｎ−ＡＰステーションの所望のＢＳＳＩＤ（Ｂａｓｉｃ  ＳＳＩＤ）を有するＢＳＳＩＤフィールドと、前記ｎｏｎ−ＡＰステーションの所望のＭＡＣ（ｍｅｄｉｕｍ  ａｃｃｅｓｓ  ｃｏｎｔｒｏｌ）住所を有する目的地住所（ｄｅｓｔｉｎａｔｉｏｎ  ａｄｄｒｅｓｓ）フィールドと、をさらに含み、
前記ＳＳＩＤ情報要素内の前記所望のＳＳＩＤは、ワイルドカードＳＳＩＤまたは前記アクセスポイントのＳＳＩＤであり、前記ＢＳＳＩＤフィールド内の前記所望のＢＳＳＩＤは、ワイルドカードＳＳＩＤまたは前記アクセスポイントのＢＳＳＩＤであり、及び前記目的地住所フィールド内の前記所望のＭＡＣ住所は、ブロードキャスト住所または前記アクセスポイントのＭＡＣ住所である場合、前記プローブ要請フレームが生成される項目２０に記載のアクセスポイント。
（項目２２）
無線ランにおけるスキャン手順を支援するステーションにおいて、
フレームを生成して処理するプロセッサ；及び、
前記プロセッサと連結され、前記プロセッサのフレームを伝送して受信する送受信機を含み、
前記プロセッサは、所望のＨＥＳＳＩＤ（ｈｏｍｏｇｅｎｅｏｕｓ  ｅｘｔｅｎｄｅｄ  ｓｅｒｖｉｃｅ  ｓｅｔ  ｉｄｅｎｔｉｆｉｅｒ）を有するＨＥＳＳＩＤフィールドと、所望のネットワークタイプを有するネットワークタイプフィールドと、を含むプローブ要請フレームを生成し、前記プローブ要請フレームを前記送受信機にフォーワーディング（ｆｏｒｗａｒｄ）し、
前記プロセッサは、前記プローブ要請フレームを伝送し、前記プローブ要請フレームに対する応答としてプローブ応答フレームを受信するステーション。
（項目２３）
前記プローブ要請フレームは、所望のＳＳＩＤ（ｓｅｒｖｉｃｅ  ｓｅｔ  ｉｄｅｎｔｉｆｉｅｒ）を有するＳＳＩＤ情報要素と、所望のＢＳＳＩＤ（Ｂａｓｉｃ  ＳＳＩＤ）を有するＢＳＳＩＤフィールドと、所望のＭＡＣ（ｍｅｄｉｕｍ  ａｃｃｅｓｓ  ｃｏｎｔｒｏｌ）住所を有する目的地住所（ｄｅｓｔｉｎａｔｉｏｎ  ａｄｄｒｅｓｓ）フィールドと、をさらに含む項目２２に記載のステーション。
（項目２４）
前記ネットワークタイプフィールドは、インターネットへの接続性を表すインターネット接続サブフィールドを含む項目２２に記載のステーション。
【誤訳訂正３】
【訂正対象書類名】明細書
【訂正対象項目名】００４９
【訂正方法】変更
【訂正の内容】
【００４９】
第１条件は、プローブ要請フレームのＳＳＩＤフィールドがワイルドカードＳＳＩＤまたはＡＰ（４）のＳＳＩＤにセッティングされることである。
【誤訳訂正４】
【訂正対象書類名】明細書
【訂正対象項目名】００５０
【訂正方法】変更
【訂正の内容】
【００５０】
第２条件は、プローブ要請フレームのＢＳＳＩＤフィールドがワイルドカードＳＳＩＤまたはＡＰ（４）のＳＳＩＤにセッティングされることである。
【誤訳訂正５】
【訂正対象書類名】明細書
【訂正対象項目名】００５１
【訂正方法】変更
【訂正の内容】
【００５１】
第３条件は、プローブ要請フレームのＤＡフィールドがブロードキャスト住所またはＡＰ（４）のＭＡＣ住所にセッティングされることある。
【誤訳訂正６】
【訂正対象書類名】明細書
【訂正対象項目名】００５２
【訂正方法】変更
【訂正の内容】
【００５２】
第４条件は、プローブ要請フレームのインターワーキングＩＥのＨＥＳＳＩＤフィールドがワイルドカードＨＥＳＳＩＤまたはＡＰ（４）のＨＥＳＳＩＤにセッティングされることである。
第５条件は、プローブ要請フレームのインターワーキングＩＥのネットワークタイプフィールドがワイルドカードネットワークタイプまたはＡＰ（４）のネットワークタイプにセッティングされることである。